(57)【要約】【課題】建築中の構造物の配筋検査を行うに際し、検査者の負担を軽減できるようにする。【解決手段】本発明に係る検査シート作成装置は、検査対象物Ａ１，Ａ２，…の配置位置を示す対象物配置図２を図面データから抽出する配置図抽出部（不図示）と、必要な配筋図Ｂ１，Ｂ２，…を図面データから抽出する配筋図抽出部（不図示）と、必要なチェックリストＣ１，Ｃ２，…をチェックリストデータから抽出するチェックリスト抽出部（不図示）と、抽出されたデータにより作成した検査シート１を表示するモニター部（不図示）と、により構成されている。この装置により作成された検査シート１は、配筋検査に必要な全ての情報を含むため、検査者は多量の図面等を持ち歩く必要が無く、また、検査現場にて必要な図面や書類を多量の書類の中から見つけ出すという必要は無く、検査者の作業負担を軽減することができる。【選択図】図２
2011089363.tif 000002
【特許請求の範囲】
【請求項１】
配筋検査を行う検査対象物の配置位置を示す対象物配置図と、各検査対象物の配筋状態を示す配筋図と、配筋状態をチェックするための各検査対象物毎のチェックリストと、各配筋図及び各チェックリストを前記対象物配置図中に表示された検査対象物に関連付けるための関連付け用記号とにより構成された配筋検査用の検査シートを作成するための検査シート作成装置において、
複数の対象物配置図データの中から必要な対象物配置図データを抽出する配置図抽出部と、
複数の配筋図データの中から必要な配筋図データを抽出する配筋図抽出部と、
複数のチェックリストデータの中から必要なチェックリストデータを抽出するチェックリスト抽出部と、
前記各抽出部によって抽出されたデータに基づき前記検査シートを表示するモニター部と、
を備えたことを特徴とする検査シート作成装置。
【請求項２】
パーソナルコンピュータである、
ことを特徴とする請求項１に記載の検査シート作成装置。
【請求項３】
配筋検査を行う検査対象物の配置位置を示す対象物配置図と、各検査対象物の配筋状態を示す配筋図と、配筋状態をチェックするための各検査対象物毎のチェックリストと、各配筋図及び各チェックリストを前記対象物配置図中に表示された検査対象物に関連付けるための関連付け用記号とにより構成された配筋検査用の検査シートを作成するための検査シート作成方法において、
複数の対象物配置図データの中から必要な対象物配置図データを抽出する配置図抽出工程と、
複数の配筋図データの中から必要な配筋図データを抽出する配筋図抽出工程と、
複数のチェックリストデータの中から必要なチェックリストデータを抽出するチェックリスト抽出工程と、
前記各抽出工程によって抽出されたデータに基づき前記検査シートを表示する検査シート表示工程と、
を備えたことを特徴とする検査シート作成方法。
【発明の詳細な説明】
【技術分野】
【０００１】
本発明は、配筋検査用の検査シートを作成するための検査シート作成装置、及び検査シート作成方法に関する。
【背景技術】
【０００２】
従来、マンション等の鉄筋コンクリート構造物を建設するに際しては、配筋工事が終了した後であってコンクリートを打設する前の段階で配筋検査が行われていて、柱や梁やスラブ等の各構成部材に関して、鉄筋の径や本数の確認が行われている。
【０００３】
この配筋検査は、検査者が構造図やチェックリストを持ち歩いて行っていた（例えば、特許文献１参照。）。
【先行技術文献】
【特許文献】
【０００４】
【特許文献１】特開平１０−２５８９５号公報
【発明の概要】
【発明が解決しようとする課題】
【０００５】
しかしながら、従来の方式の配筋検査では検査者が多量の図面やチェックリストを持ち歩かなければならず、それが検査者の負担となっていた。また、配筋検査を行う検査対象物の配筋図やチェックリストを多量の書類の中から見つけ出さなければならず、その作業も検査者の負担となっていた。
【０００６】
本発明は、上述の課題を解決するための検査シート作成装置、及び検査シート作成方法を提供することを目的とするものである。
【課題を解決するための手段】
【０００７】
請求項１に係る発明は、図１及び図２に例示するものであって、配筋検査を行う検査対象物（Ａ１，Ａ２，…）の配置位置を示す対象物配置図（２）と、各検査対象物（Ａ１，Ａ２，…）の配筋状態を示す配筋図（Ｂ１，Ｂ２，…）と、配筋状態をチェックするための各検査対象物（Ａ１，Ａ２，…）毎のチェックリスト（Ｃ１，Ｃ２，…）と、各配筋図（Ｂ１，Ｂ２，…）及び各チェックリスト（Ｃ１，Ｃ２，…）を前記対象物配置図（２）中に表示された検査対象物（Ａ１，Ａ２，…）に関連付けるための関連付け用記号（Ｄ１，Ｄ２，…）とにより構成された配筋検査用の検査シート（１）を作成するための検査シート作成装置（３）において、
複数の対象物配置図データの中から必要な対象物配置図データを抽出する配置図抽出部（４）と、
複数の配筋図データの中から必要な配筋図データを抽出する配筋図抽出部（５）と、
複数のチェックリストデータの中から必要なチェックリストデータを抽出するチェックリスト抽出部（６）と、
前記各抽出部によって抽出されたデータに基づき前記検査シートを表示するモニター部（７）と、を備えたことを特徴とする。
【０００８】
請求項２に係る発明は、請求項１に係る発明において、前記検査シート作成装置（３）はパーソナルコンピュータであることを特徴とする。
【０００９】
請求項３に係る発明は、配筋検査を行う検査対象物（Ａ１，Ａ２，…）の配置位置を示す対象物配置図（２）と、各検査対象物（Ａ１，Ａ２，…）の配筋状態を示す配筋図（Ｂ１，Ｂ２，…）と、配筋状態をチェックするための各検査対象物（Ａ１，Ａ２，…）毎のチェックリスト（Ｃ１，Ｃ２，…）と、各配筋図（Ｂ１，Ｂ２，…）及び各チェックリスト（Ｃ１，Ｃ２，…）を前記対象物配置図（２）中に表示された検査対象物（Ａ１，Ａ２，…）に関連付けるための関連付け用記号（Ｄ１，Ｄ２，…）とにより構成された配筋検査用の検査シートを作成するための検査シート作成方法において、
複数の対象物配置図データの中から必要な対象物配置図データを抽出する配置図抽出工程と、
複数の配筋図データの中から必要な配筋図データを抽出する配筋図抽出工程と、
複数のチェックリストデータの中から必要なチェックリストデータを抽出するチェックリスト抽出工程と、
前記各抽出工程によって抽出されたデータに基づき前記検査シートを表示する検査シート表示工程と、備えたことを特徴とする。
【００１０】
なお、括弧内の番号などは、図面における対応する要素を示す便宜的なものであり、従って、本記述は図面上の記載に限定拘束されるものではない。
【発明の効果】
【００１１】
請求項１乃至３に係る発明によれば、配筋検査に必要な図面（つまり、検査対象物の配置位置を示す対象物配置図や、配筋図や、チェックリスト）が１枚の同じ検査シートに掲載されているので、配筋検査を行う検査者は多量の図面等を持ち運ぶ必要が無く、検査者の負担を軽減できる。また、従来のように配筋図やチェックリストを多量の書類の中から見つけ出さなければならないという作業も不要となり、その点においても、検査者の負担を軽減できる。
【図面の簡単な説明】
【００１２】
【図１】図１は、本発明に係る検査シート作成装置の構成の一例を示すブロック図である。
【図２】図２は、図１に示す装置で作成される検査シートの構成の一例を示す模式図である。
【図３】図３は、図２に示す検査シートの要部を拡大した拡大図である。
【発明を実施するための形態】
【００１３】
以下、図１乃至図３に沿って、本発明の実施の形態について説明する。
【００１４】
本発明に係る検査シート作成装置は、配筋検査用の検査シートを作成するための装置である。本発明に係る検査シート作成装置によって作成される検査シートは、図２に符号１で例示するものであって、少なくとも、
・  符号２で示す矩形の太線で囲まれる部分のような、配筋検査を行う検査対象物Ａ１，Ａ２，…の配置位置を示す図面（以下、“対象物配置図”とする）と、
・  符号Ｂ１，Ｂ２，…で示す矩形の太線で囲まれる部分のような、各検査対象物Ａ１，Ａ２，…の配筋状態を示す図面（以下、“配筋図”とする）と、
・  符号Ｃ１，Ｃ２，…で示す矩形の太線で囲まれる部分のような、配筋状態をチェックするための各検査対象物Ａ１，Ａ２，…毎のチェックリストと、
・  各配筋図Ｂ１，Ｂ２，…及び各チェックリストＣ１，Ｃ２，…を、前記対象物配置図２中に表示された検査対象物Ａ１，Ａ２，…に関連付けるための関連付け用記号Ｄ１，Ｄ２，…と、
により構成されている。
【００１５】
このうちの対象物配置図２としては、検査対象となる鉄筋コンクリート構造物についての構造図を用いると良い。
【００１６】
また、上述の配筋図Ｂ１，Ｂ２，…としては、図３に符号Ｂｉで例示するような、鉄筋の数や配置位置や本数が明記された、検査対象物（柱や梁やスラブ等）の断面図を用いると良い。このような配筋図Ｂｉは、市販のソフトウェア（例えば、株式会社ラインテック製の“配筋図面切出しツール”）を使って構造図から切り出すようにして作成すると良い。その場合、
・  その検査対象物が配置されてある階数（鉄筋コンクリート構造物の階数）や、
・  その検査対象物の種類を示すコードや、
・  検査対象物Ａ１，Ａ２，…の寸法（例えば、図示のＤｘ×Ｄｙ）や
・  鉄筋やフープ筋の直径等
を付記するようにしても良い。
【００１７】
さらに、上述のチェックリストＣ１，Ｃ２，…には、図３に符号Ｃｉで詳示するように、
・  検査対象物Ａ１，Ａ２，…の寸法
・  主筋の本数
・  主筋の直径
・  主筋間隔
・  フープ筋の直径
・  フープ筋のピッチ
等のような“検査すべき項目”と、“検査結果を記入する欄”とを設けておくと良い。
【００１８】
また、上述の関連付け用記号Ｄ１，Ｄ２，…として、図２及び図３には矢印が記載されているが、もちろんこれに限られるものではない。配筋図Ｂ１，Ｂ２，…及びチェックリストＣ１，Ｃ２，…と、前記対象物配置図２中に表示された検査対象物Ａ１，Ａ２，…との対応関係が明確になるものであれば、矢印以外の記号や、文字等を用いても良い。
【００１９】
なお、１枚の対象物配置図２に表示されている複数の検査対象物Ａ１，Ａ２，…の中には  同じ種類のもの（つまり、対象物の断面形状が同じで  配筋状態も同じもの）が複数存在する場合もある。そのような場合は、幾つかの配筋図を省略して配筋図の重複を回避することも可能であるが、図２の検査シートの場合は、そのような省略はせずに、全ての検査対象物Ａ１，Ａ２，…についてそれぞれ配筋図Ｂ１，Ｂ２，…を掲載している。検査者が実際に配筋検査を行う場合には、配筋図Ｂ１，Ｂ２，…に色々記入したりしながら行うことが多いので、検査対象物Ａ１，Ａ２，…のそれぞれに配筋図Ｂ１，Ｂ２，…を掲載しておくと、検査がやりやすいという効果がある。また、図２に示す検査シート１では、対応する配筋図Ｂ１，Ｂ２，…とチェックリストＣ１，Ｃ２，…とが隣接した位置に配置されているが、それらが隣接されていないものを本発明の範囲から除外する趣旨では無い。
【００２０】
ところで、本発明に係る検査シート作成装置は、図１に符号３で例示するものであって、
・  複数の対象物配置図の図面データ（対象物配置図データ）の中から必要な対象物配置図データを抽出する配置図抽出部４と、
・  複数の配筋図の図面データ（配筋図に関するデータ）の中から必要な配筋図データを抽出する配筋図抽出部５と、
・  複数のチェックリストデータから必要なチェックリストデータを抽出するチェックリスト抽出部６と、
・  前記各抽出部４，５，６によって抽出されたデータに基づき前記検査シート１を表示するモニター部７と、
を備えている。なお、本発明において、配筋検査は、このモニター部７を見ながら行っても良いが、印刷した検査シートを使って行っても良い。
【００２１】
本発明によれば、配筋検査に必要な図面（つまり、検査対象物Ａ１，Ａ２，…の配置位置を示す対象物配置図２や、配筋図Ｂ１，Ｂ２，…や、チェックリストＣ１，Ｃ２，…）が１枚の同じ検査シート１に掲載されているので、配筋検査を行う検査者は多量の図面等を持ち運ぶ必要が無く、検査者の負担を軽減できる。また、従来のように配筋図やチェックリストを多量の書類の中から見つけ出さなければならないという作業も不要となり、その点においても、検査者の負担を軽減できる。
【００２２】
なお、上述の検査シート作成装置３はパーソナルコンピュータを用いて構成すると良い。すなわち、上述の各種データ（つまり、対象物配置図データや配筋図データやチェックリストデータ）をパーソナルコンピュータの内部メモリや外部メモリにストックしておき、パーソナルコンピュータ内に設けた配置図抽出部４や配筋図抽出部５やチェックリスト抽出部６を操作することによりパーソナルコンピュータのモニター部７に検査シートを表示するようにすると良い。各抽出部４，５，６の操作は、キーボード（不図示）やマウス（同じく不図示）を用いて行うと良い。例えば、各データの検索画面がモニター部７に表示されるようになっていて、その検索画面にて、
・  所望の鉄筋コンクリート構造物の所望の階の対象物配置図２を呼び出し、
・  各検査対象物Ａ１，Ａ２，…の配筋図Ｂ１，Ｂ２，…を呼び出し、
・  さらに、必要なチェックリストＣ１，Ｃ２，…を呼び出す、
ことができるようにすると良い。
【００２３】
一方、本発明に係る検査シート作成方法は、
・  複数の対象物配置図データの中から必要な対象物配置図データを抽出する配置図抽出工程と、
・  複数の配筋図データの中から必要な配筋図データを抽出する配筋図抽出工程と、
・  複数のチェックリストデータの中から必要なチェックリストデータを抽出するチェックリスト抽出工程と、
・  前記各抽出工程によって抽出されたデータに基づき前記検査シートを表示する検査シート表示工程と、
により構成すると良い。
【符号の説明】
【００２４】
１              検査シート
２              対象物配置図
３              検査シート作成装置
４              配置図抽出部
５              配筋図抽出部
６              チェックリスト抽出部
７              モニター部
Ａ１，Ａ２，…    検査対象物
Ｂ１，Ｂ２，…    配筋図
Ｃ１，Ｃ２，…    チェックリスト
Ｄ１，Ｄ２，…    関連付け用記号
【図１】
2011089363.tif 000003
【図２】
2011089363.tif 000004
【図３】
2011089363.tif 000005